(57)【要約】      （修正有）【課題】太陽の位置に対応し、容易に太陽電池パネルの角度を変更でき、かつ降雪時には太陽電池パネルを鉛直な状態に設定することで、太陽電池パネルの上面への積雪を落下させることができる太陽電池パネル取付台を提供する。【解決手段】設置個所に据え付けられる脚部１２と、脚部に回動自在に設けられた、太陽電池パネル６０を組み付ける組付枠１４と、組付枠と脚部との間に設けられ、組付枠を、回動範囲内に組付枠が鉛直になる状態を含んで回動駆動する駆動機構１６と、を備えて太陽電池パネル取付台１０を構成した。【選択図】図１
0003183334.tif 000002
【実用新案登録請求の範囲】
【請求項１】
設置個所に据え付けられる脚部と、
前記脚部に、回動自在に設けられた、太陽電池パネルを組み付ける組付枠と、
前記組付枠と前記脚部との間に設けられ、前記組付枠を、回動範囲内に前記組付枠が鉛直になる状態を含んで回動駆動する駆動機構と、を備えたことを特徴とする太陽電池パネル取付台。
【請求項２】
前記駆動機構は、送りねじ部と前記送りねじ部に螺合する雌ねじ部とを備え、前記送りねじ部を軸周りに回動させることにより、前記雌ねじ部を前記送りねじに沿って螺進させ、前記組付枠の前記脚部に対する角度を変更することを特徴とする請求項１に記載の太陽電池パネル取付台。
【請求項３】
前記駆動機構は、
前記脚部に回動自在に設けられた作動腕と、
前記脚部に、軸周りに回動自在に設けられた送りねじ部と、
前記作動腕に取り付けられ、かつ前記送りねじ部に螺合する雌ねじ部と、
前記作動腕と前記組付枠との間に、前記作動腕の回動中心及び前記作動腕組付枠の回動中心に対して対称な位置に設けられ、前記作動腕と前記組付枠とを回動自在に連結する連結部と、を備えていることを特徴とする請求項１に記載の太陽電池パネル取付台。
【考案の詳細な説明】
【技術分野】
【０００１】
本考案は、太陽電池パネルを取り付ける太陽電池パネル取付台に関する。
【背景技術】
【０００２】
太陽電池パネル取付台は、太陽電池パネルを組み付ける組付枠を備え、庭や空き地などの日当たりのよい場所に設置して、組付枠に組み付けた太陽電池パネルに太陽光発電を行わせる。通常、太陽電池パネル取付台の組付枠は、太陽電池パネルでの発電効率を向上させるため、太陽電池パネルの受光面が太陽に向くように予め傾斜させてある。
【０００３】
又、太陽電池パネル取付台の中には、太陽電池パネルの傾斜角度が変更可能となるように、組付枠を回動自在としたものも知られている。このような太陽電池パネル取付台では、例えば、作業者が、組付枠を回動させて、太陽電池パネルの受光面を太陽の方向に設定する。
【０００４】
一方、太陽電池パネルでの発電量を増大させるため、近年、太陽電池パネル取付台に大型の太陽電池パネルが組み付けられてきている。すると、太陽電池パネルを含む組付枠の重量が増大し、作業者にとって太陽電池パネルの受光面の向きを変更する作業は、負担が大きくなっていた。
【０００５】
又、太陽電池パネルは、傾斜して設けられているため、降雪地帯では、太陽電池パネルの表面に雪が積る。すると、太陽光が遮られ、太陽電池パネルでの発電量の低下や、発電停止を招く。又、雪の重みにより、太陽電池パネルが損壊することも考えられる。
【先行技術文献】
【特許文献】
【０００６】
【特許文献１】実用新案登録第３０２６８７６号公報
【特許文献２】特開２０１３−０３３８４０号公報
【考案の概要】
【考案が解決しようとする課題】
【０００７】
本考案が解決しようとする課題は、作業者が、太陽電池パネルの角度を太陽の位置に応じて容易に変更でき、しかも、積雪による太陽電池パネルの発電量の低下や損壊の発生等を簡易に防止できる太陽電池パネル取付台を提供することにある。
【課題を解決するための手段】
【０００８】
上記の課題を解決し、目的を達成するため、本考案にかかる太陽電池パネル取付台は、次のように構成されている。設置個所に据え付けられる脚部と、脚部に、回動自在に設けられた、太陽電池パネルを組み付ける組付枠と、組付枠と脚部との間に設けられ、組付枠を、回動範囲内に組付枠が鉛直になる状態を含んで回動駆動する駆動機構と、を備えて太陽電池パネル取付台を構成した。
【考案の効果】
【０００９】
本考案にかかる太陽電池パネル取付台によれば、駆動機構を操作して、作業者が、容易に太陽電池パネルの角度を変更できる。作業者が駆動機構を操作して、太陽電池パネルを鉛直な状態に設定することで、降雪時においても太陽電池パネルの上面への積雪を防止できる。太陽電池パネルを鉛直な状態に設定することで、積雪を落下させることができる。降雪が止んだ場合は、作業者が駆動機構を操作して、太陽電池パネルを太陽の位置に対応した角度に簡易に設定できる。
【図面の簡単な説明】
【００１０】
【図１】本考案にかかる一実施形態の太陽電池パネル取付台を示す側面図。
【図２】同太陽電池パネル取付台を示す斜視図。
【図３】同太陽電池パネル取付台を示す背面図。
【図４】同太陽電池パネル取付台を示す側面図。
【図５】同太陽電池パネル取付台の角度変更装置を示す斜視図。
【考案を実施するための形態】
【００１１】
本考案にかかる一実施形態の太陽電池パネル取付台について図を用いて説明する。図１は、本考案にかかる一実施形態の太陽電池パネル取付台１０を示す側面図である。図２は、太陽電池パネル取付台１０を示す斜視図である。図３は、太陽電池パネル取付台１０を示す背面図である。図４は、太陽電池パネル６０を鉛直な状態に設定したときの太陽電池パネル取付台１０を示す側面図である。図５は、角度変更装置１６を示す斜視図である。尚、図１及び図４は、太陽電池パネル取付台１０の構造を見易くするため、太陽電池パネル取付台１０の手前側に設けられている支柱等の一部を除去して示している。
【００１２】
以下、太陽電池パネル取付台１０について、太陽電池パネル取付台１０に太陽電池パネル６０を取り付けた状態において、太陽電池パネル６０の受光面側を正面とし、それを基準に太陽電池パネル取付台１０の後方、及び左右を定める。又、重力の方向を下方、その逆を上方として説明する。
【００１３】
太陽電池パネル取付台１０は、図１、及び図２に示すように、脚部１２と、組付枠１４と、駆動機構としての角度変更装置１６とを備えている。脚部１２は、門型フレーム２２と、支え棹２４と、台座部２６を備えている。
【００１４】
門型フレーム２２は、門型で、台座部２６に垂直に取り付けられている。支え棹２４は、図３にも示すように門型フレーム２２の上部から斜め後方に延び、下端が台座部２６に固定されている。又、門型フレーム２２の後方には、延設部２８が設けられている。台座部２６は、土台３０に取り付けられている。土台３０は、例えばコンクリート製で、地面１００に据え付けてある。脚部１２の上部には、組付枠１４が設けられている。
【００１５】
組付枠１４は、縦方向（上下方向）に延びる支持棹３２と、支持棹３２と直角に交わる方向に取り付けられた保持棹３４とを備えている。組付枠１４は、上面に太陽電池パネル６０を取り付けるに十分な大きさと強度とを有している。組付枠１４は、支持棹３２から斜めに取り付けられた取付棹３３で角度変更装置１６に連結している。
【００１６】
次に、角度変更装置１６について説明する。角度変更装置１６は、図５に示すように、延設部２８に設けられたハンドル部４０と、送りねじ部４２と、雌ねじ部４４と、作動腕４６と、一対の連結棒４８と、取付板５０とを備えている。
【００１７】
延設部２８は、門型フレーム２２から後方に延びる横部材３６と、横部材３６の後方端に取り付けられた縦部材３８とを備えている。横部材３６の上部には、作動腕４６が取り付けてある。縦部材３８にはハンドル部４０が設けてある。
【００１８】
ハンドル部４０は、円盤部５２と、円盤部５２から突出した持ち手部５４とを備えている。円盤部５２は、円板状で、送りねじ部４２の端部に、送りねじ部４２と同心に取り付けられている。持ち手部５４は、円盤部５２の端部に、送りねじ部４２と平行に設けられている。ハンドル部４０は、作業者が容易に操作できる位置に設けてある。図４に、比較のため作業者Ｍを示す。
【００１９】
送りねじ部４２は、図５に示すように、外周面にねじを備えたねじ部材である。送りねじ部４２は、縦部材３８に設けられた取付具５８に、軸周りに回動自在に取り付けられている。取付具５８は、送りねじ部４２を縦部材３８に、組付枠１４の回動方向と平行な方向、すなわち上下方向に回動自在に保持している。
【００２０】
作動腕４６は、取付具５６を介して横部材３６に回動自在に取り付けてある。作動腕４６は、組付枠１４の回動方向と平行な方向、すなわち上下方向に回動自在に取り付けてある。作動腕４６は、取付具５６を中心としたほぼ対称形に形成されている。作動腕４６の一方の端部には、雌ねじ部４４が設けられている。雌ねじ部４４は、送りねじ部４２に螺合している。雌ねじ部４４は、作動腕４６に、組付枠１４の回動方向と平行な方向に回動自在に取り付けてある。
【００２１】
作動腕４６の両端には、それぞれ連結棒４８の一端が取り付けてある。２本の連結棒４８は、同一の長さを有し、連結棒４８のそれぞれの他端は、１枚の取付板５０の両端に取り付けてある。
【００２２】
取付板５０は、平行に３枚設けられ、それらは一体に固着されている。取付板５０は、門型フレーム２２の上端に、門型フレーム２２の上縁を回動中心として回動自在に取り付けられている。２本の連結棒４８は、作動腕４６での取付間隔と取付板５０での取付間隔をほぼ同一の間隔として、作動腕４６と取付板５０との間に取り付けられている。
【００２３】
したがって、角度変更装置１６は、作動腕４６が回動すると、２本の連結棒４８により、取付板５０が、作動腕４６と平行を保持した状態で回動する。又、２本の連結棒４８は、作動腕４６及び取付板５０の傾斜角度にかかわらず、常に平行に作動する。取付板５０は、組付枠１４の支持棹３２に、取付棹３３を介して組付枠１４の縦方向のほぼ中央に連結されている。
【００２４】
角度変更装置１６は、組付枠１４を、組付枠１４に組み付けた太陽電池パネル６０が鉛直な状態となる角度に設定できるように構成されている。特許請求の範囲でいう、組付枠が鉛直になる状態とはこのことをいう。
【００２５】
更に、角度変更装置１６は、太陽電池パネル６０を設置する地域において太陽が最も高くなったときに、組付枠１４に組み付けた太陽電池パネル６０の受光面を太陽に対して垂直に向けられるように構成されているのが好ましい。組付枠１４と脚部１２との間には、固定具７０が設けられている。
【００２６】
固定具７０は、固定棹７２と、止め具７４とを備えている。固定棹７２は、一端が組付枠１４の端部に回動自在に取り付けられている。止め具７４は、ねじ部を有し、門型フレーム２２に設けてある。止め具７４は、ねじ部の締結により固定棹７２を任意の位置で固定する。これにより、固定具７０は、組付枠１４を所望の角度に設定した状態で、組付枠１４を固定できる。尚、固定具７０は、予め固定棹７２の固定部を定めておき、組付枠１４を任意の角度で固定するのではなく、予め定めた所定の角度で固定するようにしてもよい。
【００２７】
組付枠１４の上部には、覆い板７６が設けられている。覆い板７６は、組付枠１４を図４に示すように鉛直な状態に設定したとき、門型フレーム２２の上部を覆うように形成されている。又、太陽電池パネル６０を取り付けた組付枠１４は、角度変更装置１６の回動中心を支点として、上下方向での重量バランスがほぼ均衡した状態となっている。
【００２８】
次に、太陽電池パネル取付台１０の作用、及び効果について説明する。土台３０を地面１００に設置する。設置された土台３０に台座部２６を据え付ける。台座部２６上の門型フレーム２２は、基本的に鉛直に設ける。
【００２９】
脚部１２に設けられている組付枠１４に、太陽電池パネル６０を取り付ける。太陽電池パネル６０は、基本的に南側に向けられる。太陽電池パネル取付台１０を設置し、組付枠１４に太陽電池パネル６０を組み付けたら、作業者は、角度変更装置１６の持ち手部５４を回す。すると、送りねじ部４２が軸周りに回転し、雌ねじ部４４が送りねじ部４２に対して螺進する。雌ねじ部４４が螺進すると、作動腕４６が取付具５６を中心として回動する。
【００３０】
作動腕４６が回動すると、作動腕４６の両端に連結されている連結棒４８を介して取付板５０が門型フレーム２２の上部で回動する。組付枠１４は、基本的に作動腕４６と平行に傾斜する。組付枠１４が太陽の位置（角度）に対応した所望の角度に設定されたら、固定棹７２を止め具７４で固定し、組付枠１４を所定の傾斜角度で固定する。
【００３１】
これにより、太陽電池パネル６０は、太陽電池パネル６０の受光面が太陽の方向に向けられ、高い発電効率が実現される。又、作業者は、季節の変化に応じて、角度変更装置１６を操作して太陽電池パネル６０の受光面を太陽の向き（角度）に追従させる。このように、作業者は、角度変更装置１６を操作することにより太陽電池パネル６０の角度を簡易に変更し、高い発電効率を維持できる。
【００３２】
一方、雪が降るとき、あるいは雪が降って、太陽電池パネル６０の上に積雪が生じたとき、作業者は、角度変更装置１６を操作して組付枠１４を鉛直な状態に設定する。組付枠１４が鉛直な状態になると、太陽電池パネル６０の受光面が鉛直な状態になり、降雪時においても太陽電池パネル６０の上に積雪が生じない。又、太陽電池パネル６０の上に積雪がある状態でも、太陽電池パネル６０を鉛直な状態にすると、太陽電池パネル６０に降り積もった雪が表面から落下する。
【００３３】
したがって、作業者は、太陽電池パネル６０を鉛直な状態にすることにより、積雪による太陽光の遮断を防止し、太陽電池パネル６０を用いて太陽光発電を効果的に実施できる。尚、冬季は太陽の位置が低いので、作業者が太陽電池パネル６０を鉛直な状態に設定した場合でも、冬季における最大発電量に対する発電量の減少は小さな範囲に抑えられる。又、作業者は、太陽電池パネル６０を鉛直な状態にすることにより、積雪による太陽電池パネル６０の損壊等を防止できる。
【００３４】
太陽電池パネル取付台１０は、角度変更装置１６を用いて太陽電池パネル６０の角度が変更できるので、作業者は、簡易、かつ安全に太陽電池パネル６０の角度を変更する作業が行える。角度変更装置１６は、取付板５０で組付枠１４を支持しているので、太陽電池パネル６０を、太陽電池パネル６０の中心で、かつ中心を挟んで所定の幅をもって支持するので安定して太陽電池パネル６０を保持できる。
【００３５】
更に、作業者が、太陽電池パネル６０を鉛直な状態にすると、太陽電池パネル６０の表面を雨や雪が流れ落ちるので、太陽電池パネル６０の表面に付着した埃や汚れ等が効率よく除去される。
【００３６】
尚、本考案は前記実施形態に限られるものではなく、適宜変更して実施できる。例えば、太陽電池パネル取付台１０は、地面１００でなく、ビルの屋上や屋根の上等に設置してもよい。又、駆動機構は、送りねじ機構でなく、他の駆動機構であってもよい。更に駆動機構は、電動機を組付け、電動で駆動されるようにしてもよい。又、太陽電池パネル取付台１０に、降雪のセンサを取り付け、降雪センサの感知により駆動機構を作動させるようにしてもよい。
【産業上の利用可能性】
【００３７】
本考案は、太陽電池パネルを取り付ける太陽電池パネル取付台に用いられる。
【符号の説明】
【００３８】
１０…太陽電池パネル取付台、１２…脚部、１４…組付枠、１６…角度変更装置、２２…門型フレーム、２４…支え棹、２８…延設部、３０…土台、３２…支持棹、３３…取付棹、３４…保持棹、３６…横部材、３８…縦部材、４０…ハンドル部、４２…送りねじ部、４６…作動腕、４８…連結棒、５０…取付板、５２…円盤部、５４…持ち手部、５６、５８…取付具、６０…太陽電池パネル、７０…固定具、７２…固定棹、７４…止め具、１００…地面。
【図１】
0003183334.tif 000003
【図２】
0003183334.tif 000004
【図３】
0003183334.tif 000005
【図４】
0003183334.tif 000006
【図５】
0003183334.tif 000007